(57)【要約】【課題】電動調理機において、外蓋の材料投入口から調味料などの追加材料を投入するときに誤ってスプーンを落下させることのないようにすること。【解決手段】材料投入口９の部分に材料容器１０を揺動自在に軸支し、材料容器１０の開位置と閉位置においてそれぞれ材料容器壁面１２ａ、１２ｂが材料投入口９を覆うようにして開口する部分をなくすため、材料追加時のスプーンの落下を防ぐことができる。【選択図】　図１
2004016694.tif 000002
【特許請求の範囲】
【請求項１】
電動機を内蔵した本体上にカッターを備えたコップを載置し、前記コップの上部開口にはこれを覆って材料投入口を設けた外蓋を装備し、前記材料投入口には閉位置と開位置の間で揺動自在に軸支された材料容器を備え、前記材料容器の開位置と閉位置においてそれぞれ材料容器壁面が前記材料投入口を覆うようにした電動調理機。
【請求項２】
材料容器開口部を材料容器の回転中心を中心とする円弧形状とし、材料容器開口部に沿わせて外蓋の内部に遮蔽板を設けた請求項１に記載の電動調理機。
【請求項３】
電動機を内蔵した本体上にカッターを備えたコップを載置し、前記コップの上部開口にはこれを覆って材料投入口を設けた外蓋を装備し、この外蓋には材料投入口を常時覆う閉位置に付勢されて移動可能に遮蔽板を設け、この遮蔽板と係合して遮蔽板を閉位置から開位置へ移動させる内蓋を前記外蓋に備えた電動調理機。
【請求項４】
遮蔽板は外蓋に回動自在に軸支し、内蓋は外蓋に回動自在とした請求項３に記載の電動調理機。
【請求項５】
電動機を内蔵した本体上にカッターを備えたコップを載置し、前記コップの上部開口にはこれを覆って材料投入口を設けた外蓋を装備し、外蓋には前記材料投入口に対面する位置に長尺物の通過を阻止する遮蔽板を設けた電動調理機。
【請求項６】
外蓋はその有底円筒部に横穴形状とし材料投入口を設け、遮蔽板は材料投入口と対向して設けた請求項５に記載の電動調理機。
【請求項７】
電動機を内蔵した本体上にカッターを備えたコップを載置し、前記コップの上部開口にはこれを覆って材料投入口を設けた外蓋を装備し、前記材料投入口には磁石を配置した電動調理機。
【発明の詳細な説明】
【０００１】
【発明の属する技術分野】
本発明は、外蓋に設けた材料投入口より材料を投入しながら調理する電動調理機に関するものである。
【０００２】
【従来の技術】
従来、この種の電動調理機は、例えば図８に示すようなものが知られている。すなわち、電動機１を内蔵する本体２の上にカッター３を備えたコップ４を着脱自在に載置し、コップ４の上部開口を外蓋５で覆っていた。外蓋５の中央部には運転しながら調味料などの追加の材料を投入できるように材料投入口６を設けていた。材料投入口６は運転中に外蓋５を外すと材料が溢れることがあるため、外蓋５を外さずに材料を投入するためのものであり、通常は内蓋７により覆われている。
【０００３】
【発明が解決しようとする課題】
しかしながら、前記のような構成によると運転しながら材料投入口６からスプーンで調味料などを追加するときに、材料投入口６からスプーンを誤ってコップ４の中に落としてしまうと機器を傷める恐れがあるという課題を有していた。
【０００４】
本発明は、前記従来の課題を解決するので、運転しながら材料投入口からスプーンで調味料などを追加するときに、誤ってコップの中にスプーンを落としてしまうことがない電動調理機を提供することを目的とする。
【０００５】
【課題を解決するための手段】
前記目的を達成するために、本発明の電動調理機は、外蓋に設けた材料投入口に閉位置と開位置の間で揺動自在に軸支された材料容器を備え、前記材料容器の開位置と閉位置においてそれぞれ材料容器壁面が前記材料投入口を覆うようにしたものである。
【０００６】
これにより、材料容器を開位置にして材料容器に材料を入れる時にも材料投入口が材料容器側壁により覆われて開口する部分がないため、スプーンの落下を防ぐことができ、また材料容器を閉位置に回転させることにより材料容器に入れた材料をコップの中に投入することができる。
【０００７】
【発明の実施の形態】
請求項１に記載の発明は、電動機を内蔵した本体上にカッターを備えたコップを載置し、前記コップの上部開口にはこれを覆って材料投入口を設けた外蓋を装備し、前記材料投入口には閉位置と開位置の間で揺動自在に軸支された材料容器を備え、前記材料容器の開位置と閉位置においてそれぞれ材料容器壁面が前記材料投入口を覆うようにした電動調理機としたことにより、材料容器を開位置にして材料容器に材料を入れる時にも材料投入口が材料容器側壁により覆われて開口する部分がないため、スプーンの落下を防ぐことができ、また材料容器を閉位置に回転させることにより、材料容器に入れた材料をコップの中に投入することができる。
【０００８】
請求項２に記載の発明は、材料容器開口部を材料容器の回転中心を中心とする円弧形状とし、材料容器開口部に沿わせて外蓋の内部に遮蔽板を設けた請求項１に記載の電動調理機としたことにより、材料容器開口部は遮蔽板により開位置から閉位置に回動する途中においても覆われ、確実にスプーンの侵入を防止することができる。
【０００９】
請求項３に記載の発明は、電動機を内蔵した本体上にカッターを備えたコップを載置し、前記コップの上部開口にはこれを覆って材料投入口を設けた外蓋を装備し、この外蓋には材料投入口を常時覆う閉位置に付勢されて移動可能に遮蔽板を設け、この遮蔽板と係合して遮蔽板を閉位置から開位置へ移動させる内蓋を前記外蓋に備えた電動調理機としたことにより、遮蔽板が閉位置にあるときに材料を置き、内蓋で材料投入口を覆いながら遮蔽板を開位置に移動させて材料をコップ内に投入するため、スプーンの落下を防ぐことができる。
【００１０】
請求項４に記載の発明は、遮蔽板は外蓋に回動自在に軸支し、内蓋は外蓋に回動自在とした請求項３に記載の電動調理機としたことにより、内蓋を回動させることで遮蔽板を開位置と閉位置の間で移動させるというコンパクトな開閉機構を得ることができる。
【００１１】
請求項５に記載の発明は、電動機を内蔵した本体上にカッターを備えたコップを載置し、前記コップの上部開口にはこれを覆って材料投入口を設けた外蓋を装備し、外蓋には前記材料投入口に対面する位置に長尺物の通過を阻止する遮蔽板を設けた電動調理機としたことにより、材料投入口から挿入されるスプーンは遮蔽板で阻止され、材料投入口からスプーンの落下を防ぐことができる。
【００１２】
請求項６に記載の発明は、外蓋はその有底円筒部に横穴形状とし材料投入口を設け、遮蔽板は材料投入口と対向して設けた請求項５に記載の電動調理機としたことにより、材料投入口からのスプーン落下を確実に防ぐことができる。
【００１３】
請求項７に記載の発明は、電動機を内蔵した本体上にカッターを備えたコップを載置し、前記コップの上部開口にはこれを覆って材料投入口を設けた外蓋を装備し、前記材料投入口には磁石を配置した電動調理機としたことにより、材料投入口から誤ってスプーンを落としてしまったときでも、スプーンを磁石で吸着しコップ中への落下を防ぐことができる。
【００１４】
【実施例】
以下本発明の実施例について、図面を参照しながら説明する。
【００１５】
（実施例１）
図１、図２は本発明の実施例１における電動調理機を示し、従来例と同じ構成部材についてはそれぞれ同じ符号を付し、その説明は省略する。
【００１６】
異なる点は、外蓋８に設けた材料投入口９の部分に、材料容器１０を軸１１により揺動自在に軸支し、材料容器１０の開位置（図２（Ａ））と閉位置（図２（Ｃ））においてそれぞれ材料容器壁面１２ａ、１２ｂが材料投入口９を覆うようにし、さらに材料容器開口部１３を、軸１１を中心とする円弧形状とし、材料容器開口部１３に沿わせて外蓋８の内部に遮蔽板１４を設けたことである。
【００１７】
また、材料容器１０は、開位置と閉位置の途中位置（図２（Ｂ））において、材料容器開口部１３内にスプーンなどが入らないように遮蔽部材１２ｃを有している。さらに、材料容器１０にはその操作用のつまみ１２ｄが設けられている。一方、外蓋８には、材料容器１０の開位置において材料容器１０をその位置に保持する保持部材８ａを設けている。
【００１８】
以上のように構成された電動調理機について、以下にその動作を説明する。まず、材料容器１０を開位置（図２（Ａ））にして材料を入れる時は、材料投入口９が材料容器側壁１２ｂにより覆われて開口する部分がないため、スプーンの落下を防ぐことができる。また、材料容器１０を閉位置（図２（Ｃ））に回転させることにより、材料容器１０内に入れた材料をコップ４の中に投入するときも、材料投入口９が材料容器側壁１２ａにより覆われて開口する部分がないため、スプーンの落下を防ぐことができる。さらに、材料容器開口部１３はこれに沿わせて設けた遮蔽板１４により開位置から閉位置に回動する途中（図２（Ｂ））においても遮蔽部材１２ｃで覆われているため、確実にスプーンの侵入を防止することができる。
【００１９】
（実施例２）
図３、図４は本発明の実施例２における電動調理機を示し、従来例と同じ構成部材についてはそれぞれ同じ符号を付し、その説明は省略する。
【００２０】
異なる点は、外蓋１５に中央凹部２０を設け、その底部の材料投入口１６の部分に遮蔽板１７を軸１９により回動自在に軸支して、材料投入口１６を開放する開位置と材料投入口１６を覆う閉位置の間で移動可能に取り付けていることである。
【００２１】
また、遮蔽板１７は、常時、閉位置側にばね１８で付勢されており、通常は閉位置にある。中央凹部２０には内蓋２１が回動自在に装着されて材料投入口１６を覆い、内蓋２１は遮蔽板１７の係合部１７ａと係合する突部２１ａを有し、回動操作により遮蔽板１７を閉位置から開位置へ回して移動させるようにしている。開位置から手を離せば遮蔽板１７は元の閉位置に自動的に戻るものである。
【００２２】
以上のように構成された電動調理機について、以下にその動作を説明する。まず、運転しながら材料を投入するために内蓋２１を外し遮蔽板１７により材料投入口１６が閉じられた状態の中央凹部２０に材料を置き、つぎに内蓋２１を装着し突部２１ａを遮蔽板１７の係合部１７ａに係合させて内蓋２１とともに遮蔽板１７を開位置に回転させて材料をコップ４内に投入する。
【００２３】
このとき、遮蔽板１７が開位置に移動しても内蓋２１により材料投入口１６は覆われており、スプーンの落下を防ぐことができ、また遮蔽板１７を回動させているため、スライドさせて移動するなどの他の形態に対してコンパクトに開閉機構を構成できるとともに、内蓋２１をつまんで容易に操作することができる。
【００２４】
（実施例３）
図５、図６は、本発明の実施例３における電動調理機を示し、従来例と同一構成部品には同じ符号を付し、その説明は省略する。
【００２５】
異なる点は、外蓋２２には材料投入口２４に対面する位置に長尺物の通過を阻止する遮蔽板２５を設けたことである。具体的な構成例としては、外蓋２２はその有底円筒部２３の側壁に横穴形状の材料投入口２４を設け、これに対向する外周部に、コップ４とのシール部材２６を併設した円筒形状の遮蔽板２５を設けている。
【００２６】
遮蔽板２５は図６（Ａ）に示すように、材料投入口２４から挿入されるスプーン程度の長さを有する長尺物の通過を阻止できる高さを有し、また遮蔽板２５は図６（Ｂ）に示すように、材料投入口２４から投入される材料は通過可能である距離だけ材料投入口２４から隔てられている。
【００２７】
以上のように構成された電動調理機について、以下にその動作を説明する。材料投入口２２からスプーンが入らないため、スプーンの落下を防ぐことができるとともに、遮蔽板２５にコップ４とのシール部材２６を併設したことで、遮蔽板２５とコップ４のシール部材２６を別々に設けるなどの他の形態に対してシンプルにスプーンの入らない材料投入の構成が得られる。
【００２８】
（実施例４）
図７は本発明の実施例４における電動調理機の構成を示し、従来例と同一構成部品には同じ符号を付し、その説明は省略する。
【００２９】
異なる点は、外蓋２７に設けた材料投入口２８に磁石２９を配置したことである。具体的には、材料投入口２８に筒状のガイド部３０を設け、その下部に磁石２９を配置している。
【００３０】
以上のように構成された電動調理機について、以下にその動作を説明する。運転中に材料投入口２８から調味料などの材料を追加しようとして誤ってスプーンを落としてしまったときでも、スプーンを磁石３０で吸着することができ回転中のカッター３にスプーンが当たるのを防ぐことができる。
【００３１】
【発明の効果】
以上のように、本発明の電動調理機によれば、運転中に外蓋の材料投入口からスプーンを用いて調味料などの追加材料を投入するときに、スプーンがコップ内に誤って落下することを阻止することができる。
【図面の簡単な説明】
【図１】本発明の実施例１における電動調理機の縦断面図
【図２】（Ａ）〜（Ｃ）同電動調理機における材料容器の動作説明の要部断面図
【図３】本発明の実施例２における電動調理機の縦断面図
【図４】同電動調理機の要部の分解斜視図
【図５】本発明の実施例３における電動調理機の縦断面図
【図６】（Ａ）同電動調理機におけるスプーンの阻止状態を示す要部断面図
（Ｂ）同電動調理機における材料投入状態を示す要部断面図
【図７】本発明の実施例４における電動調理機の縦断面図
【図８】従来の電動調理機の要部縦断面図
【符号の説明】
１　電動機
２　本体
３　カッター
４　コップ
８、１５、２２、２７　外蓋
９、１６、２４、２８　材料投入口
１０　材料容器
１２ａ、１２ｂ　材料容器壁面
１３　材料容器開口部
１４、１７、２５　遮蔽板
２１　内蓋
２６　シール部材
２７　磁石
【図１】
2004016694.tif 000003
【図２】
2004016694.tif 000004
【図３】
2004016694.tif 000005
【図４】
2004016694.tif 000006
【図５】
2004016694.tif 000007
【図６】
2004016694.tif 000008
【図７】
2004016694.tif 000009
【図８】
2004016694.tif 000010